【手続補正書】
【提出日】平成24年1月18日(2012.1.18)
【手続補正１】
【補正対象書類名】特許請求の範囲
【補正対象項目名】全文
【補正方法】変更
【補正の内容】
【特許請求の範囲】
【請求項１】
給水本管から分岐されて設けられた一次側配管と、警戒区画に配置されて設けられた二次側配管と、前記一次側配管と前記二次側配管との間に設けられ、前記一次側配管と連通する一次室及び前記二次側配管と連通する二次室を有すると共に、前記一次室から前記二次室へ通水させる通水口を開閉する弁体を有し、前記一次室から前記二次室への流水を検知する流水検知装置と、前記二次側配管に設けられた複数のスプリンクラヘッドと、前記警戒区画に配置されて設けられた火災感知器と、前記火災感知器の火災信号及び前記スプリンクラヘッドの作動による前記二次側配管内の圧力低下信号を受信する制御盤とを備えた予作動式消火設備において、
前記一次側配管内の増圧で開動作する常時は閉の第１制御弁と、前記二次側配管内の減圧で開動作する常時は閉の第２制御弁とを更に備え、
監視時、前記第１制御弁と前記第２制御弁とが閉状態にあって、前記弁体は閉状態に保持され、
火災時、前記一次側配管内の増圧と前記二次側配管内の減圧とにより、前記第１制御弁と前記第２制御弁とが開状態になって、前記弁体は開状態にされることを特徴とする予作動式消火設備。
【請求項２】
前記流水検知装置は、前記第１制御弁が接続される第１ピストン室と、前記第２制御弁が接続される第２ピストン室とを更に有し、
監視時、前記弁体は、前記第２ピストン室内の圧力の作用により閉方向に押圧され、
火災時、前記弁体は、前記第１ピストン室内の圧力の作用により開方向に押圧されることを特徴とする請求項１記載の予作動式消火設備。
【請求項３】
給水本管から分岐されて設けられた一次側配管と、警戒区画に配置されて設けられた二次側配管と、前記一次側配管と前記二次側配管との間に設けられ、前記一次側配管と連通する一次室及び前記二次側配管と連通する二次室を有すると共に、前記一次室から前記二次室へ通水させる通水口を開閉する弁体を有し、前記一次室から前記二次室への流水を検知する流水検知装置と、前記二次側配管に設けられた複数のスプリンクラヘッドと、前記警戒区画に配置されて設けられた火災感知器と、前記火災感知器の火災信号及び前記スプリンクラヘッドの作動による前記二次側配管内の圧力低下信号を受信する制御盤とを備えた予作動式消火設備において、
前記流水検知装置は、前記弁体の背面より起立し、前記弁体を往復移動させるロッドと、前記二次室に隣接し、前記ロッドを支持するシリンダ部と、前記ロッドの所定位置への移動を検出するセンサとを有し、
前記流水検知装置における前記シリンダ部は、前記シリンダ部内を第１隔室と第２隔室とに仕切る隔壁と、前記第１隔室内を第１ピストン室と第１中間室とに仕切り、前記ロッドに固定されて前記第１隔室内を摺動自在に設けられた第１ピストンと、前記第２隔室内を第２ピストン室と第２中間室とに仕切り、前記ロッドに固定されて前記第２隔室内を摺動自在に設けられた第２ピストンとを有しており、ここで、前記第１ピストン室及び前記第１中間室は、前記第１隔室内で前記二次室に近い側から前記第１ピストン室、前記第１中間室の順で配置され、前記第２ピストン室及び前記第２中間室は、前記第２隔室内で前記二次室に近い側から前記第２中間室、前記第２ピストン室の順で配置され、又、前記第１ピストン室は、前記一次側配管と前記一次側配管内の増圧で開動作する常時は閉の第１制御弁を介して接続され、前記第１中間室は前記一次側配管と接続され、前記一次側配管内の水が導入されて常に充水されており、前記第２中間室は閉鎖されて常に大気圧の空間として保持され、そして前記第２ピストン室は前記二次側配管と前記二次側配管内の減圧で開動作する常時は閉の第２制御弁を介して接続されており、
監視時、前記一次側配管内及び前記第１中間室内に封入されている水は前記一次側配管に圧力を供給する補助加圧ポンプによって一次側監視圧に保持され、前記第１制御弁は閉状態にあって、前記第１ピストン室内には前記一次側配管内の水は導入されずに、前記第１ピストン室内は大気圧の空間として保持され、そして、前記二次側配管内に封入されている水又は空気は二次側監視圧に保持され、前記第２制御弁は閉状態にあって、前記第２ピストン室内に導入されている水又は空気は排出されずに、前記第２ピストン室内は充填状態に保持され、前記第２中間室内は大気圧の空間として保持され、それにより、前記第１ピストンに前記第１中間室内の充水圧力が作用すると共に、前記第２ピストンに前記第２ピストン室内の充填圧力が作用し、前記弁体は前記第１ピストン及び前記第２ピストンにより前記ロッドを介して閉方向に押圧されて閉状態が保持される様構成されており、
火災時、前記スプリンクラヘッドの作動により前記二次側配管内が減圧されると、前記第２制御弁が開動作し、前記第２ピストン室内の水又は空気が排出され、そして、前記火災感知器の火災信号及び前記二次側配管内の圧力低下信号を受信した前記制御盤からの移報信号に基づいて、前記給水本管に接続された給水ポンプが起動され、それにより前記一次側配管内が増圧されると、前記第１制御弁が開動作し、前記第１ピストン室内に前記一次側配管内の水が導入され、前記第１ピストン室内は充水状態となり、前記第１ピストン室内の充水圧力が前記第１ピストンに作用し、前記弁体は前記第１ピストンにより前記ロッドを介して開方向に押圧されて開動作し、開状態にされると共に、前記弁体の開状態への変化が前記ロッドの所定位置への移動を以って前記センサにより検出されて、流水信号として出力される様構成されていることを特徴とする予作動式消火設備。
【手続補正２】
【補正対象書類名】明細書
【補正対象項目名】００１１
【補正方法】変更
【補正の内容】
【００１１】
この発明は、給水本管から分岐されて設けられた一次側配管と、警戒区画に配置されて設けられた二次側配管と、前記一次側配管と前記二次側配管との間に設けられ、前記一次側配管と連通する一次室及び前記二次側配管と連通する二次室を有すると共に、前記一次室から前記二次室へ通水させる通水口を開閉する弁体を有し、前記一次室から前記二次室への流水を検知する流水検知装置と、前記二次側配管に設けられた複数のスプリンクラヘッドと、前記警戒区画に配置されて設けられた火災感知器と、前記火災感知器の火災信号及び前記スプリンクラヘッドの作動による前記二次側配管内の圧力低下信号を受信する制御盤とを備えた予作動式消火設備において、前記一次側配管内の増圧で開動作する常時は閉の第１制御弁と、前記二次側配管内の減圧で開動作する常時は閉の第２制御弁とを更に備え、監視時、前記第１制御弁と前記第２制御弁とが閉状態にあって、前記弁体は閉状態に保持され、火災時、前記一次側配管内の増圧と前記二次側配管内の減圧とにより、前記第１制御弁と前記第２制御弁とが開状態になって、前記弁体は開状態にされることを特徴とする予作動式消火設備である。
【手続補正３】
【補正対象書類名】明細書
【補正対象項目名】００１２
【補正方法】変更
【補正の内容】
【００１２】
又、この発明は、前記予作動式消火設備であって、前記流水検知装置は、前記第１制御弁が接続される第１ピストン室と、前記第２制御弁が接続される第２ピストン室とを更に有し、監視時、前記弁体は、前記第２ピストン室内の圧力の作用により閉方向に押圧され、火災時、前記弁体は、前記第１ピストン室内の圧力の作用により開方向に押圧されることを特徴とする予作動式消火設備である。
【手続補正４】
【補正対象書類名】明細書
【補正対象項目名】００１３
【補正方法】変更
【補正の内容】
【００１３】
又、この発明は、給水本管から分岐されて設けられた一次側配管と、警戒区画に配置されて設けられた二次側配管と、前記一次側配管と前記二次側配管との間に設けられ、前記一次側配管と連通する一次室及び前記二次側配管と連通する二次室を有すると共に、前記一次室から前記二次室へ通水させる通水口を開閉する弁体を有し、前記一次室から前記二次室への流水を検知する流水検知装置と、前記二次側配管に設けられた複数のスプリンクラヘッドと、前記警戒区画に配置されて設けられた火災感知器と、前記火災感知器の火災信号及び前記スプリンクラヘッドの作動による前記二次側配管内の圧力低下信号を受信する制御盤とを備えた予作動式消火設備において、前記流水検知装置は、前記弁体の背面より起立し、前記弁体を往復移動させるロッドと、前記二次室に隣接し、前記ロッドを支持するシリンダ部と、前記ロッドの所定位置への移動を検出するセンサとを有し、前記流水検知装置における前記シリンダ部は、前記シリンダ部内を第１隔室と第２隔室とに仕切る隔壁と、前記第１隔室内を第１ピストン室と第１中間室とに仕切り、前記ロッドに固定されて前記第１隔室内を摺動自在に設けられた第１ピストンと、前記第２隔室内を第２ピストン室と第２中間室とに仕切り、前記ロッドに固定されて前記第２隔室内を摺動自在に設けられた第２ピストンとを有しており、ここで、前記第１ピストン室及び前記第１中間室は、前記第１隔室内で前記二次室に近い側から前記第１ピストン室、前記第１中間室の順で配置され、前記第２ピストン室及び前記第２中間室は、前記第２隔室内で前記二次室に近い側から前記第２中間室、前記第２ピストン室の順で配置され、又、前記第１ピストン室は、前記一次側配管と前記一次側配管内の増圧で開動作する常時は閉の第１制御弁を介して接続され、前記第１中間室は前記一次側配管と接続され、前記一次側配管内の水が導入されて常に充水されており、前記第２中間室は閉鎖されて常に大気圧の空間として保持され、そして前記第２ピストン室は前記二次側配管と前記二次側配管内の減圧で開動作する常時は閉の第２制御弁を介して接続されており、監視時、前記一次側配管内及び前記第１中間室内に封入されている水は前記一次側配管に圧力を供給する補助加圧ポンプによって一次側監視圧に保持され、前記第１制御弁は閉状態にあって、前記第１ピストン室内には前記一次側配管内の水は導入されずに、前記第１ピストン室内は大気圧の空間として保持され、そして、前記二次側配管内に封入されている水又は空気は二次側監視圧に保持され、前記第２制御弁は閉状態にあって、前記第２ピストン室内に導入されている水又は空気は排出されずに、前記第２ピストン室内は充填状態に保持され、前記第２中間室内は大気圧の空間として保持され、それにより、前記第１ピストンに前記第１中間室内の充水圧力が作用すると共に、前記第２ピストンに前記第２ピストン室内の充填圧力が作用し、前記弁体は前記第１ピストン及び前記第２ピストンにより前記ロッドを介して閉方向に押圧されて閉状態が保持される様構成されており、火災時、前記スプリンクラヘッドの作動により前記二次側配管内が減圧されると、前記第２制御弁が開動作し、前記第２ピストン室内の水又は空気が排出され、そして、前記火災感知器の火災信号及び前記二次側配管内の圧力低下信号を受信した前記制御盤からの移報信号に基づいて、前記給水本管に接続された給水ポンプが起動され、それにより前記一次側配管内が増圧されると、前記第１制御弁が開動作し、前記第１ピストン室内に前記一次側配管内の水が導入され、前記第１ピストン室内は充水状態となり、前記第１ピストン室内の充水圧力が前記第１ピストンに作用し、前記弁体は前記第１ピストンにより前記ロッドを介して開方向に押圧されて開動作し、開状態にされると共に、前記弁体の開状態への変化が前記ロッドの所定位置への移動を以って前記センサにより検出されて、流水信号として出力される様構成されていることを特徴とする予作動式消火設備である。